(57)【特許請求の範囲】
【請求項１】
ガスメータを新規ガスメータに交換する交換工事の前に、前記ガスメータ及びその周辺部を含むガスメータ設置現場を撮像して得られた工事前画像情報を取得する工事前画像情報取得部と、
前記工事前画像情報を記憶部に記憶させる工事前画像情報記憶実行部と、
前記交換工事の後に、前記ガスメータ設置現場を撮像して得られた工事後画像情報を取得する工事後画像情報取得部と、
前記工事前画像情報及び前記工事後画像情報に基づいて、前記交換工事の前後における前記周辺部の相違点の有無を判定する相違点判定部と、
を備えるガスメータの交換作業支援装置。
【請求項２】
前記相違点判定部で相違点が有ると判定された場合に、前記工事後画像情報が表す工事後画像に、前記相違点に該当する箇所を表すハイライト表示を重畳させたガイド画像を表示器に表示するためのガイド画像情報を生成するガイド画像情報生成部をさらに備える、
請求項１に記載のガスメータの交換作業支援装置。
【請求項３】
前記工事前画像情報が表す工事前画像と、前記ガイド画像とを比較する比較画像を前記表示器に表示するための比較画像情報を生成する比較画像情報生成部をさらに備える、
請求項２に記載のガスメータの交換作業支援装置。
【請求項４】
前記相違点判定部で相違点が有ると判定された場合に、前記相違点を無くすための原状復帰作業の再指示と、前記原状復帰作業の後に前記ガスメータ設置現場を撮像して得られる前記工事後画像情報の再要求とを含む指示情報を生成する指示情報生成部をさらに備える、
請求項１〜請求項３のいずれか一項に記載のガスメータの交換作業支援装置。
【請求項５】
前記相違点判定部で相違点が無いと判定された場合に、前記工事後画像情報を前記記憶部に記憶させる工事後画像情報記憶実行部をさらに備える、
請求項１〜請求項４のいずれか一項に記載のガスメータの交換作業支援装置。
【請求項６】
ガスメータを新規ガスメータに交換する交換工事の前に、前記ガスメータ及びその周辺部を含むガスメータ設置現場を撮像して得られた工事前画像情報を取得する工事前画像情報取得ステップと、
前記工事前画像情報を記憶部に記憶させる工事前画像情報記憶実行ステップと、
前記交換工事の後に、前記ガスメータ設置現場を撮像して得られた工事後画像情報を取得する工事後画像情報取得ステップと、
前記工事前画像情報及び前記工事後画像情報に基づいて、前記交換工事の前後における前記周辺部の相違点の有無を判定する相違点判定ステップと、
を備えるガスメータの交換作業支援方法。
【請求項７】
ガスメータを新規ガスメータに交換する交換工事の前に、前記ガスメータ及びその周辺部を含むガスメータ設置現場を撮像して得られた工事前画像情報を取得する工事前画像情報取得ステップと、
前記工事前画像情報を記憶部に記憶させる工事前画像情報記憶実行ステップと、
前記交換工事の後に、前記ガスメータ設置現場を撮像して得られた工事後画像情報を取得する工事後画像情報取得ステップと、
前記工事前画像情報及び前記工事後画像情報に基づいて、前記交換工事の前後における前記周辺部の相違点の有無を判定する相違点判定ステップと、
をコンピュータに実行させるためのプログラム。
【発明の詳細な説明】
【技術分野】
【０００１】
本発明は、ガスメータの交換作業支援装置、ガスメータの交換作業支援方法及びプログラムに関する。
【背景技術】
【０００２】
例えば都市ガスやＬＰガスは、ガス配管及びガスメータを介して顧客に供給される。ガスメータについては、計量法により、検定有効期限が定められており、一定期間毎の交換が義務付けられている（例えば、特許文献１参照）。
【０００３】
ガスメータを新規ガスメータに交換する交換工事では、ガスメータの周辺部に物（例えば、自転車や植木鉢等）が置かれていると、ガスメータの交換作業の邪魔になる。したがって、一般的には、交換工事前にガスメータの周辺部に置かれている物を移動させ、交換工事後に物を元の位置に戻す原状復帰作業が行われる。
【先行技術文献】
【特許文献】
【０００４】
【特許文献１】特開２０１１−２０２９２６号公報
【発明の概要】
【発明が解決しようとする課題】
【０００５】
しかしながら、元の位置に物が戻されていない場合には、その物の所有者である顧客から苦情が出たり、移動させた先で物が顧客の資産（例えば窓ガラスや自動車等）を損壊させたりするなどの問題が発生する虞がある。したがって、ガスメータの周辺部に物が置かれている場合には、ガスメータを新規ガスメータに交換する交換工事の後にガスメータ設置現場が適切に原状復帰されていることが求められる。
【０００６】
本発明は、上記事情に鑑みて成されたものであって、ガスメータを新規ガスメータに交換する交換工事の後にガスメータ設置現場を適切に原状復帰させることを目的とする。
【課題を解決するための手段】
【０００７】
本発明の第一態様は、ガスメータを新規ガスメータに交換する交換工事の前に、前記ガスメータ及びその周辺部を含むガスメータ設置現場を撮像して得られた工事前画像情報を取得する工事前画像情報取得部と、前記工事前画像情報を記憶部に記憶させる工事前画像情報記憶実行部と、前記交換工事の後に、前記ガスメータ設置現場を撮像して得られた工事後画像情報を取得する工事後画像情報取得部と、前記工事前画像情報及び前記工事後画像情報に基づいて、前記交換工事の前後における前記周辺部の相違点の有無を判定する相違点判定部と、を備えるガスメータの交換作業支援装置である。
【０００８】
本発明の第二態様は、ガスメータを新規ガスメータに交換する交換工事の前に、前記ガスメータ及びその周辺部を含むガスメータ設置現場を撮像して得られた工事前画像情報を取得する工事前画像情報取得ステップと、前記工事前画像情報を記憶部に記憶させる工事前画像情報記憶実行ステップと、前記交換工事の後に、前記ガスメータ設置現場を撮像して得られた工事後画像情報を取得する工事後画像情報取得ステップと、前記工事前画像情報及び前記工事後画像情報に基づいて、前記交換工事の前後における前記周辺部の相違点の有無を判定する相違点判定ステップと、を備えるガスメータの交換作業支援方法である。
【０００９】
本発明の第三態様は、ガスメータを新規ガスメータに交換する交換工事の前に、前記ガスメータ及びその周辺部を含むガスメータ設置現場を撮像して得られた工事前画像情報を取得する工事前画像情報取得ステップと、前記工事前画像情報を記憶部に記憶させる工事前画像情報記憶実行ステップと、前記交換工事の後に、前記ガスメータ設置現場を撮像して得られた工事後画像情報を取得する工事後画像情報取得ステップと、前記工事前画像情報及び前記工事後画像情報に基づいて、前記交換工事の前後における前記周辺部の相違点の有無を判定する相違点判定ステップと、をコンピュータに実行させるためのプログラムである。
【発明の効果】
【００１０】
本発明によれば、相違点が無いと判定された判定結果が得られるまで原状復帰作業を行うことにより、ガスメータ設置現場を適切に原状復帰させることができる。
【図面の簡単な説明】
【００１１】
【図１】ガスメータの交換作業支援システムの一例を示す図である。
【図２】図１のガスメータの交換作業支援システムの構成を示すブロック図である。
【図３】図２のコンピュータの動作の流れを示すフローチャートである。
【図４】ガイド画像の一例を示す図である。
【図５】比較画像の一例を示す図である。
【図６】工事後画像の一例を示す図である。
【図７】ガスメータの交換作業支援システムの変形例の構成を示すブロック図である。
【発明を実施するための形態】
【００１２】
以下、図面を参照しながら、本発明の一実施形態について説明する。
【００１３】
図１は、ガスメータの交換作業支援システム１の一例を示す図である。図１に示されるように、このガスメータの交換作業支援システム１は、携帯端末４０と、管理サーバ５０とを備える。
【００１４】
携帯端末４０は、例えば、スマートホン又はタブレット等である。本実施形態では、スマートホンを携帯端末４０の一例とする。管理サーバ５０は、例えばインターネット等のネットワーク２を介して携帯端末４０と通信可能に接続される。
【００１５】
図１に示される作業員６０は、住宅等のガスメータ設置現場７０においてガスメータ７２を新規ガスメータに交換する交換工事を担当する担当者である。図１では、作業員６０が携帯端末４０の撮像機能を用いてガスメータ７２及びその周辺部７６を含むガスメータ設置現場７０を撮像している状態が示されている。
【００１６】
ところで、ガスメータ７２を新規ガスメータに交換する交換工事では、ガスメータ７２の周辺部７６に物７８（例えば、自転車や植木鉢等）が置かれていると、ガスメータの交換作業の邪魔になる。したがって、一般的には、交換工事前にガスメータ７２の周辺部７６に置かれている物７８を移動させ、交換工事後に物７８を元の位置に戻す原状復帰作業が行われる。
【００１７】
しかしながら、物７８が元の位置に戻されていない場合には、その物７８の所有者である顧客から苦情が出たり、移動させた先で物７８が顧客の資産（例えば窓ガラスや自動車等）を損壊させたりするなどの問題が発生する虞がある。したがって、ガスメータ７２の周辺部７６に物７８が置かれている場合には、ガスメータ７２を新規ガスメータに交換する交換工事の後にガスメータ設置現場７０が適切に原状復帰されていることが求められる。
【００１８】
図１に示されるガスメータの交換作業支援システム１は、ガスメータ７２を新規ガスメータに交換する交換工事の後にガスメータ設置現場７０を適切に原状復帰させることを目的として構築されたものである。
【００１９】
図２は、図１のガスメータの交換作業支援システム１の構成を示すブロック図である。携帯端末４０は、カメラ４２を含む撮像機能と、表示器４４を含む画像表示機能とを有する。管理サーバ５０は、コンピュータ１０と、データベース５２とを有する。データベース５２は、「記憶部」の一例である。
【００２０】
コンピュータ１０は、「ガスメータの交換作業支援装置」の一例である。このコンピュータ１０は、ハードウェアとして、プロセッサ１２及びメモリ１４を備える。プロセッサ１２は、ＣＰＵ（Central Processing Unit）等を有する。メモリ１４は、ＲＯＭ（Read Only Memory）、ＲＡＭ（Random Access Memory）及びストレージ等を有する。
【００２１】
ＲＯＭは、各種プログラム及び各種データを格納する。ＲＡＭは、作業領域として一時的にプログラム又はデータを記憶する。ストレージは、ＨＤＤ（Hard Disk Drive）又はＳＳＤ（Solid State Drive）等により構成され、オペレーティングシステムを含む各種プログラム及び各種データを格納する。ＲＯＭ又はストレージには、ガスメータの交換作業支援用のプログラム１６が格納されている。プロセッサ１２は、プログラム１６を読み出し、ＲＡＭを作業領域としてプログラム１６を実行する。
【００２２】
また、コンピュータ１０は、機能的な構成として、工事前画像情報取得部２０、工事前画像情報記憶実行部２２、工事後画像情報取得部２４、相違点判定部２６、判定情報生成部２８、ガイド画像情報生成部３０、比較画像情報生成部３２、指示情報生成部３４、工事後画像情報記憶実行部３６及び生成情報出力部３８等の機能部を備える。
【００２３】
これらの機能部は、プロセッサ１２がプログラム１６を実行することにより実現される。これらの機能部が有する機能の詳細については、後述するコンピュータ１０の動作と併せて説明する。
【００２４】
次に、コンピュータ１０の動作、すなわち本実施形態に係るガスメータの交換作業支援方法について説明する。
【００２５】
本実施形態に係るガスメータの交換作業支援方法は、上述のコンピュータ１０を用いて実行される。この本実施形態に係るガスメータの交換作業支援方法は、図１に示されるように、ガスメータ７２の周辺部７６に物７８が置かれていた場合に、交換工事の後に物７８を元の位置に戻す原状復帰作業を支援する方法である。
【００２６】
図３は、図２のコンピュータ１０の動作の流れを示すフローチャートである。図３には、コンピュータ１０の動作の流れを示すステップＳ１〜ステップＳ１２が示されている。
【００２７】
図１に示されるように、交換工事の前に、ガスメータ７２及びその周辺部７６を含むガスメータ設置現場７０を作業員６０が携帯端末４０の撮像機能を用いて撮像すると、撮像された工事前画像に対応する工事前画像情報が得られる。この工事前画像情報は、携帯端末４０の通信機能を用いて管理サーバ５０に送信される。
【００２８】
（ステップＳ１：工事前画像情報取得ステップ）
ステップＳ１では、図２に示される工事前画像情報取得部２０で工事前画像情報が取得される。
【００２９】
（ステップＳ２：工事前画像情報記憶実行ステップ）
ステップＳ２では、工事前画像情報記憶実行部２２によって工事前画像情報がデータベース５２に記憶される。このとき、工事前画像情報は、携帯端末４０に入力された顧客の氏名及び住所等の顧客情報と共に記憶される。
【００３０】
そして、作業員６０によってガスメータ７２を新規ガスメータに交換する交換工事が行われる。この交換工事の後に、新規ガスメータ及びその周辺部７６を含むガスメータ設置現場７０を作業員６０が携帯端末４０の撮像機能を用いて撮像すると、撮像された工事後画像に対応する工事後画像情報が得られる。この工事後画像情報は、携帯端末４０の通信機能を用いて管理サーバ５０に送信される。
【００３１】
（ステップＳ３：工事後画像情報取得ステップ）
ステップＳ３では、図２に示される工事後画像情報取得部２４で工事後画像情報が取得される。
【００３２】
（ステップＳ４：相違点判定ステップ）
ステップＳ４では、ステップＳ２でデータベース５２に記憶された工事前画像情報と、ステップＳ３で取得された工事後画像情報とに基づいて、交換工事の前後における周辺部７６の相違点の有無が相違点判定部２６で判定される。このとき、相違点判定部２６は、例えば、次の要領で相違点の有無を判定する。
【００３３】
すなわち、相違点判定部２６は、工事前画像情報に基づいて工事前画像におけるガスメータ７２の位置を特定し、次いで、このガスメータ７２の位置に基づいてガスメータ７２の周辺部７６の画像に対応する工事前周辺部画像情報を工事前画像情報から抽出する。
【００３４】
同様に、相違点判定部２６は、工事後画像情報に基づいて工事後画像における新規ガスメータの位置を特定し、次いで、この新規ガスメータの位置に基づいて新規ガスメータの周辺部７６の画像に対応する工事後周辺部画像情報を工事後画像情報から抽出する。
【００３５】
そして、相違点判定部２６は、工事前周辺部画像情報及び工事後周辺部画像情報を差分して差分情報を生成し、この差分情報に基づいて交換工事の前後における周辺部７６の相違点の有無を判定する。つまり、相違点判定部２６は、差分情報が得られた場合には、相違点が有ると判定し、差分情報が得られない場合には、相違点が無いと判定する。また、相違点判定部２６は、差分情報に基づく相違点が予め定められた許容範囲内である場合も、相違点が無いと判定する。
【００３６】
ここで、ステップＳ４において相違点が有ると相違点判定部２６で判定された場合には、ステップＳ５に移行する。
【００３７】
（ステップＳ５：判定情報生成ステップ）
ステップＳ５では、判定情報生成部２８で判定情報が生成される。この場合の判定情報には、相違点が有ると判定された判定結果が含まれる。
【００３８】
（ステップＳ６：ガイド画像情報生成ステップ）
ステップＳ６では、ガイド画像情報生成部３０でガイド画像情報が生成される。ガイド画像情報は、相違点の位置をガイドするガイド画像８０（図４参照）を表示器４４に表示するための情報である。ガイド画像８０は、後述する通り、例えば、工事後画像８２に上述の相違点に該当する箇所を表す四角枠状のハイライト表示８４を重畳させた画像である。
【００３９】
このとき、ハイライト表示８４を表示するための表示情報は、上述の差分情報に基づいて生成される。すなわち、差分情報に基づいて上述の相違点の位置及び範囲が特定され、この位置及び範囲を表す四角枠状のハイライト表示８４が決定される。そして、このハイライト表示８４を表示するための表示情報が生成される。
【００４０】
（ステップＳ７：比較画像情報生成ステップ）
ステップＳ７では、工事前画像情報が表す工事前画像９２と、ガイド画像８０とを比較する比較画像９０（図５参照）を表示器４４に表示するための比較画像情報が比較画像情報生成部３２で生成される。比較画像９０は、後述する通り、例えば、工事前画像９２とガイド画像８０とを並べた画像である。
【００４１】
（ステップＳ８：指示情報生成ステップ）
ステップＳ８では、指示情報生成部３４で指示情報が生成される。指示情報は、相違点を無くすための原状復帰作業の再指示と、原状復帰作業の後にガスメータ設置現場７０を撮像して得られる工事後画像情報の再要求とを含む情報である。この再指示及び再要求については、後に例示する。
【００４２】
（ステップＳ９：生成情報出力ステップ）
ステップＳ９では、上述のステップＳ５〜ステップＳ８の各々で生成された判定情報、ガイド画像情報、比較画像情報及び指示情報が生成情報出力部３８から出力される。このステップＳ９の後、ステップＳ３に移行する。
【００４３】
生成情報出力部３８から出力された判定情報、ガイド画像情報、比較画像情報及び指示情報は、管理サーバ５０から携帯端末４０に送信される。携帯端末４０は、管理サーバ５０から送信された判定情報、ガイド画像情報、比較画像情報及び指示情報を受信すると、この判定情報、ガイド画像情報、比較画像情報及び指示情報に基づいて表示器４４に画像を表示する。
【００４４】
図４は、ガイド画像８０の一例を示す図である。図４に示す例では、ガイド画像情報に基づいて、工事後画像８２に相違点に該当する箇所を表す四角枠状のハイライト表示８４を重畳させたガイド画像８０が表示器４４に表示されている。
【００４５】
また、図４に示す例では、判定情報に基づいて、「原状復帰作業が完了しておりません。」との判定メッセージ１００がガイド画像８０上に判定結果として表示されている。
【００４６】
さらに、図４に示す例では、指示情報に基づいて、「原状復帰作業を再度実施してください。」とのメッセージ１０２Ａと、「原状復帰作業の後に撮像したガスメータ設置現場の画像を送信して下さい。」とのメッセージ１０２Ｂとを含む指示メッセージ１０２がガイド画像８０上に指示内容として表示されている。
【００４７】
「原状復帰作業を再度実施してください。」とのメッセージ１０２Ａは、「相違点を無くすための原状復帰作業の再指示」の一例であり、「原状復帰作業の後に撮像したガスメータ設置現場の画像を送信して下さい。」とのメッセージ１０２Ｂは、「原状復帰作業の後にガスメータ設置現場を撮像して得られる工事後画像情報の再要求」の一例である。
【００４８】
図５は、比較画像９０の一例を示す図である。図５に示す例では、携帯端末４０を横向きにした状態において、表示器４４の左側に工事前画像９２が表示され、表示器４４の右側にガイド画像８０が表示されている。
【００４９】
この図５に示す例においても、「原状復帰作業が完了しておりません。」との判定メッセージ１００が比較画像９０上に表示されると共に、「原状復帰作業を再度実施してください。」とのメッセージ１０２Ａと、「原状復帰作業の後に撮像したガスメータ設置現場の画像を送信して下さい。」とのメッセージ１０２Ｂとを含む指示メッセージ１０２が比較画像９０上に表示されている。
【００５０】
作業員６０は、携帯端末４０の画像切替機能を使用することにより、図４に示すガイド画像８０と、図５に示す比較画像９０とを切り替えることができる。
【００５１】
このように、表示器４４には、ガイド画像８０又は比較画像９０が表示されるので、作業員６０は、例えば、ガイド画像８０又は比較画像９０を参考にしながら、原状復帰作業を行うことができる。
【００５２】
そして、図１に示される作業員６０が物７８を元の位置に戻した後、再度、ガスメータ設置現場７０を携帯端末４０の撮像機能を用いて撮像すると、撮像された工事後画像に対応する工事後画像情報が得られる。この工事後画像情報は、携帯端末４０の通信機能を用いて管理サーバ５０に送信される。
【００５３】
以上の作業は、ステップＳ４において相違点が有ると相違点判定部２６で判定されている間、繰り返し実行される。
【００５４】
一方、原状復帰作業が完了した場合には、ステップＳ４において相違点が無いと相違点判定部２６で判定される。この場合には、ステップＳ１０に移行する。
【００５５】
（ステップＳ１０：工事後画像情報記憶実行ステップ）
ステップＳ１０では、直近の工事後画像情報、すなわち相違点が無いと相違点判定部２６で判定されたときの工事後画像情報が工事後画像情報記憶実行部３６によってデータベース５２に記憶される。このとき、工事後画像情報は、携帯端末４０に入力された顧客の氏名及び住所等の顧客情報と共に記憶される。
【００５６】
（ステップＳ１１：判定情報生成ステップ）
ステップＳ１１では、判定情報生成部２８で判定情報が生成される。この場合の判定情報には、相違点が無いと判定された判定結果が含まれる。
【００５７】
（ステップＳ１２：生成情報出力ステップ）
ステップＳ１２では、上述のステップＳ１１で生成された判定情報が生成情報出力部３８から出力される。また、このとき、判定情報と共に、直近の工事後画像情報が出力される。
【００５８】
生成情報出力部３８から出力された判定情報及び工事後画像情報は、管理サーバ５０から携帯端末４０に送信される。携帯端末４０は、管理サーバ５０から送信された判定情報及び工事後画像情報を受信すると、この判定情報及び工事後画像情報に基づいて表示器４４に画像を表示する。
【００５９】
図６は、工事後画像８２の一例を示す図である。図５に示す例では、工事後画像情報に基づいて工事後画像８２が表示器４４に表示されると共に、判定情報に基づいて、「原状復帰作業が完了しました。お疲れ様でした。」との判定メッセージ１００が工事後画像８２上に判定結果として表示されている。
【００６０】
本実施形態では、以上の要領で、ガスメータ７２を新規ガスメータに交換する交換工事の後にガスメータ設置現場７０の原状復帰作業が行われる。
【００６１】
次に、本実施形態の作用及び効果について説明する。
【００６２】
以上詳述した通り、本実施形態によれば、交換工事の前にガスメータ設置現場７０を撮像して得られた工事前画像情報と、交換工事の後にガスメータ設置現場７０を撮像して得られた工事後画像情報とに基づいて、交換工事の前後における周辺部７６の相違点の有無が判定される。そして、この判定結果は、携帯端末４０の表示器４４に表示される。したがって、相違点が無いと判定された判定結果が得られるまで原状復帰作業を行うことにより、ガスメータ設置現場７０を適切に原状復帰させることができる。
【００６３】
また、本実施形態によれば、原状復帰作業が完了しておらず、相違点が有ると判定された場合には、工事後画像８２に、相違点に該当する箇所を表すハイライト表示８４を重畳させたガイド画像８０（図４参照）が表示器４４に表示される。したがって、このガイド画像８０に基づいて原状復帰作業を行うことにより、原状復帰作業の作業効率を向上させることができる。
【００６４】
また、本実施形態によれば、相違点が有ると判定された場合には、工事前画像９２とガイド画像８０とを比較する比較画像９０（図５参照）が表示器４４に表示される。したがって、この比較画像９０に基づいて原状復帰作業を行うことにより、原状復帰作業の作業効率をより一層向上させることができる。
【００６５】
また、本実施形態によれば、相違点が有ると判定された場合には、相違点を無くすための原状復帰作業の再指示を表すメッセージ１０２Ａと、原状復帰作業の後にガスメータ設置現場７０を撮像して得られる工事後画像情報の再要求を表すメッセージ１０２Ｂとを含む指示メッセージ１０２（図４、図５参照）が表示器４４に表示される。したがって、原状復帰作業が完了していないにもかかわらず、作業員６０が自己の判断で作業を終了してしまうことを防止できる。
【００６６】
また、本実施形態によれば、原状復帰作業が完了し、相違点が無いと判定された場合には、原状復帰作業が完了した状態のガスメータ設置現場７０を撮像して得られた工事後画像情報がデータベース５２に記憶される。したがって、工事後画像情報が表す工事後画像８２によってガスメータ設置現場７０の原状復帰作業が適切に完了していることを証明できる。
【００６７】
次に、本実施形態の変形例について説明する。
【００６８】
図７は、ガスメータの交換作業支援システム１の変形例の構成を示すブロック図である。上記実施形態では、管理サーバ５０が、「ガスメータの交換作業支援装置」の一例であるコンピュータ１０と、データベース５２とを備えるが（図２参照）、図７に示されるように、管理サーバ５０がデータベース５２を備え、携帯端末４０が「ガスメータの交換作業支援装置」の一例であるコンピュータ１０を備えていてもよい。
【００６９】
このように構成されていても、上記実施形態と同様のガスメータの交換作業支援方法が実現されると共に、上記実施形態と同様の作用及び効果を奏することができる。
【００７０】
また、上記実施形態において、図４に示されるハイライト表示８４は、四角枠状であるが、相違点に該当する箇所を表す形態であれば、四角枠状以外でもよい。
【００７１】
また、上記実施形態において、図５に示される比較画像９０は、工事前画像９２及びガイド画像８０を並べて表示する画像であるが、例えば、工事前画像９２の上に半透明のガイド画像８０を重ねて表示した画像でもよい。
【００７２】
また、上記実施形態において、判定情報に基づいて表示器４４に表示される判定メッセージ１００は、図４〜図６に示す内容以外でもよい。
【００７３】
また、上記実施形態において、指示情報に基づいて表示器４４に表示される指示メッセージ１０２は、図４、図５に示す内容以外でもよい。
【００７４】
また、上記実施形態において、相違点判定部２６で判定された判定結果は、携帯端末４０のスピーカから音声や警告音等で出力されてもよい。
【００７５】
また、上記実施形態において、指示情報生成部３４で生成された指示情報に基づく指示内容は、携帯端末４０のスピーカから音声で出力されてもよい。
【００７６】
なお、上記複数の変形例のうち組み合わせ可能な変形例は、適宜組み合わされて実施可能である。
【００７７】
以上、本発明の一実施形態について説明したが、本発明は、上記に限定されるものでなく、上記以外にも、その主旨を逸脱しない範囲内において種々変形して実施可能であることは勿論である。
【符号の説明】
【００７８】
１  ガスメータの交換作業支援システム
１０  コンピュータ
１６  プログラム
２０  工事前画像情報取得部
２２  工事前画像情報記憶実行部
２４  工事後画像情報取得部
２６  相違点判定部
２８  判定情報生成部
３０  ガイド画像情報生成部
３２  比較画像情報生成部
３４  指示情報生成部
３６  工事後画像情報記憶実行部
３８  生成情報出力部
４０  携帯端末
４２  カメラ
４４  表示器
５０  管理サーバ
５２  データベース（記憶部の一例）
６０  作業員
７０  ガスメータ設置現場
７２  ガスメータ
７６  周辺部
７８  物
８０  ガイド画像
８２  工事後画像
８４  ハイライト表示
９０  比較画像
９２  工事前画像
【要約】
【課題】ガスメータを新規ガスメータに交換する交換工事の後にガスメータ設置現場を適切に原状復帰させることを目的とする。
【解決手段】ガスメータの交換作業支援装置の一例であるコンピュータ１０は、ガスメータを新規ガスメータに交換する交換工事の前に、ガスメータ及びその周辺部を含むガスメータ設置現場を撮像して得られた工事前画像情報を取得する工事前画像情報取得部２０と、工事前画像情報を記憶部の一例であるデータベース５２に記憶させる工事前画像情報記憶実行部２２と、交換工事の後に、ガスメータ設置現場を撮像して得られた工事後画像情報を取得する工事後画像情報取得部２４と、工事前画像情報及び工事後画像情報に基づいて、交換工事の前後における周辺部の相違点の有無を判定する相違点判定部２６と、を備える。
【選択図】図２【図１】
0006683899.tif 000002
【図２】
0006683899.tif 000003
【図３】
0006683899.tif 000004
【図４】
0006683899.tif 000005
【図５】
0006683899.tif 000006
【図６】
0006683899.tif 000007
【図７】
0006683899.tif 000008